(57)【特許請求の範囲】
【請求項１】
曲率半径を持つ輪郭を有する締めつけ部材であって、間隔を隔てた第１および第２端部分を有して、締めつけ部材の中心線が周方向に延びているものを備えた締めつけ装置における第１および第２端部分間の間隔を変えて締めつけ部材の曲率半径を変えるための改良伸張装置において、
（１）前記中心線に沿って前記第１端部分に挿入するための第１のフォロア及び前記第２端部分に挿入するための第２のフォロアを備え、前記第１のフォロアは、前記第１端部分に挿入される側と反対側に、前記第１端部分に向かって前記中心線に対して末広がりの縁部を有し、前記第２のフォロアは、前記第２端部分に挿入される側と反対側に、前記第２端部分に向かって前記中心線に対して末広がりの縁部を有し、
（２）前記締めつけ部材の前記中心線に対して横方向軸線に沿って位置し、前記フォロア同士の間隔を制御するための第１および第２楔を備え、該第１および第２楔の各々は、前記中心線から間隔を隔てられており、また前記横方向軸線に対して前記中心線から離れる向きに末広がりの縁を有しており、前記第１および第２楔の縁は、前記フォロアの縁に係合し、
（３）さらに、前記締めつけ部材の前記第１および第２端部分間の間隔を変えるための圧縮手段を有する、ことを特徴とする伸張装置。
【請求項２】
前記楔の各々は、これが前記締めつけ部材の輪郭に一致するように前記曲率半径に相当する曲率半径で形成された一体の部材よりなることを特徴とする請求項１に記載の締めつけ部材の第１および第２端部分の間隔を制御するための伸張装置。
【請求項３】
前記フォロアの各々は、締めつけバンドの端部分に挿入されるための軸部と、端部分の上に位置する基部および末広縁部を有する台形のヘッド部分とよりなり、この末広縁部がこのヘッド部分の辺を構成することを特徴とする請求項１に記載の締めつけ部材の第１および第２端部分の間隔を制御するための伸張装置。
【請求項４】
パイプをマンホール上昇管にその壁部を通る開口部のところで連結する装置において、
（１）壁部の前記開口部と実質的に等しい外径を有し、マンホール上昇管の前記開口部に挿入されるための第１円形端部、パイプを受け入れるための第２円形端部、および前記第１および第２円形端部を相互に連結する中央の変化部を有するコネクタブーツと、
（２）曲率半径を持つ輪郭を有する締めつけバンドであって、間隔を隔てた第１および第２端部分を有し、この締めつけバンドの中心線が周方向に延びているものと、
（３）前記締めつけバンドの前記第１および第２端部分間の間隔を変え、それにより前記コネクタブーツの前記第１円形端部とマンホール上昇管の壁部の前記開口部との間にシールを行うシール力を生じるための伸張機構とを備え、前記伸張機構は、
（ｉ）前記中心線に沿って前記締めつけバンドの前記第１端部分に挿入するための第１の楔フォロア及び前記締めつけバンドの前記第２端部分に挿入するための第２の楔フォロアを有し、前記第１の楔フォロアは、前記第１端部分に挿入される側と反対側に、前記第１端部分に向かって前記中心線に対して末広がりの縁部を有し、前記第２の楔フォロアは、前記第２端部分に挿入される側と反対側に、前記第２端部分に向かって前記中心線に対して末広がりの縁部を有し、
（ｉｉ）前記中心線に対して横方向軸線に沿って位置し、前記楔フォロアの間隔を制御するための第１および第２駆動楔を備え、該第１および第２駆動楔の各々が、前記中心線から間隔を隔てられており、前記横方向軸線に対して前記中心線から離れる向きに末広である縁を有しており、前記駆動楔の前記縁は、前記楔フォロアの前記縁に係合し、
（ｉｉｉ）前記締めつけバンドの前記第１および第２端部分間の間隔を変えるための圧縮機構を備え、前記中心線に向かう前記駆動楔の変位がシール力を生じ、
（４）前記コネクタブーツ端部分をパイプに締めつける機構を備えたことを特徴とするパイプをマンホール上昇管に連結する装置。
【請求項５】
前記楔フォロアの各々は、前記締めつけバンドの前記第１および第２端部分の一方に挿入される軸部と、端部分の上に位置した基部および末広縁部を有する台形のヘッド部分よりなり、この末広縁部がこのヘッド部分の辺を構成することを特徴とする請求項４に記載のパイプをマンホール上昇管に連結する装置。
【請求項６】
前記コネクタブーツは、前記第１円形端部に近接して形成されて前記伸張機構を受け入れるための第１ポケットを有することを特徴とする請求項４に記載のパイプをマンホール上昇管に連結する装置。
【請求項７】
パイプをマンホール上昇管にその壁部を通る開口部のところで連結する装置において、
壁部の前記開口部の内径と実質的に等しい外径を有し、マンホール上昇管の前記開口部に挿入されるための第１円形端部、パイプを受け入れるための第２円形端部、および前記第１および第２円形端部を相互に連結する中央の変化部を有するコネクタブーツと、
間隔を隔てた第１および第２端部分を有する締めつけバンドであって、その中心線が周方向に沿って延びている締めつけバンドと、
前記第１および第２端部分間の間隔を変え、それにより前記コネクタブーツの前記第１円形端部とマンホール上昇管の壁部の前記開口部との間にシールを行うシール力を生じるための伸張機構と、
前記コネクタブーツの前記第１円形端部に近接して形成された、前記伸張機構を受け入れるための第１ポケットとを有し、
前記伸張機構は、第１および少なくとも第２楔と、第１および少なくとも第２フォロアとを有し、
前記第１及び第２フォロアは、前記中心線に沿って前記締めつけバンドの第１及び第２端部分に挿入可能な大きさ及び形状にされ、
前記第１のフォロアは、前記第１端部分に挿入される側と反対側に、前記第１端部分に向かって前記中心線に対して末広がりの縁部を有し、前記第２のフォロアは、前記第２端部分に挿入される側と反対側に、前記第２端部分に向かって前記中心線に対して末広がりの縁部を有し、
第１および第２楔は、前記フォロア同士の間隔を制御するために前記中心線に対して横方向軸線に沿って配置され、該第１および第２楔の各々は、前記中心線から間隔を隔てられており、また該第１および第２楔の各々は、前記フォロアが前記楔に係合するよう前記横方向軸線に対して前記中心線から離れる向きに末広がりの縁を有している、ことを特徴とするパイプをマンホール上昇管に連結する装置。
【請求項８】
曲率半径を持つ輪郭を有する締めつけ部材であって、間隔を隔てた第１および第２端部分を有して、締めつけ部材の中心線が周方向に延びているものを備えた締めつけ装置における第１および第２端部分間の間隔を変えて締めつけ部材の曲率半径を変えるための改良伸張装置において、
（１）前記中心線に沿って前記第１端部分に挿入するための第１のフォロア及び前記第２端部分に挿入するための第２のフォロアを備え、前記第１のフォロアは、前記第１端部分に挿入される側と反対側に、前記第１端部分に向かって前記中心線に対して末広がりの縁部を有し、前記第２のフォロアは、前記第２端部分に挿入される側と反対側に、前記第２端部分に向かって前記中心線に対して末広がりの縁部を有し、
（２）前記締めつけ部材の前記中心線に対して横方向軸線に沿って位置し、前記フォロア同士の間隔を制御するための第１および第２楔を備え、該第１および第２楔の各々は、前記中心線から間隔を隔てられており、また前記横方向軸線に対して前記中心線から離れる向きに末広がりの縁を有しており、前記縁は、前記フォロアに係合し、
（３）さらに、前記締めつけ部材の前記第１および第２端部分間の間隔を変えるための圧縮手段を有する、ことを特徴とする伸張装置。
【請求項９】
パイプをマンホール上昇管にその壁部を通る開口部のところで連結する装置において、
（１）壁部の前記開口部と実質的に等しい外径を有し、マンホール上昇管の前記開口部に挿入されるための第１円形端部、パイプを受け入れるための第２円形端部、および前記第１および第２円形端部を相互に連結する中央の変化部を有するコネクタブーツと、
（２）曲率半径を持つ輪郭を有する締めつけバンドであって、間隔を隔てた第１および第２端部分を有し、この締めつけバンドの中心線が周方向に延びているものと、
（３）前記締めつけバンドの前記第１および第２端部分間の間隔を変え、それにより前記コネクタブーツの前記第１円形端部とマンホール上昇管の壁部の前記開口部との間にシールを行うシール力を生じるための伸張機構とを備え、前記伸張機構は、
（ｉ）前記中心線に沿って前記締めつけバンドの前記第１端部分に挿入するための第１の楔フォロア及び前記締めつけバンドの前記第２端部分に挿入するための第２の楔フォロアを有し、前記第１の楔フォロアは、前記第１端部分に挿入される側と反対側に、前記第１端部分に向かって前記中心線に対して末広がりの縁部を有し、前記第２の楔フォロアは、前記第２端部分に挿入される側と反対側に、前記第２端部分に向かって前記中心線に対して末広がりの縁部を有し、
（ｉｉ）前記中心線に対して横方向軸線に沿って位置し、前記楔フォロアの間隔を制御するための第１および第２駆動楔を備え、該第１および第２駆動楔の各々が、前記中心線から間隔を隔てられており、前記横方向軸線に対して前記中心線から離れる向きに末広である縁を有しており、前記駆動楔は、前記楔フォロアに係合し、
（ｉｉｉ）前記締めつけバンドの前記第１および第２端部分間の間隔を変えるための圧縮機構を備え、前記中心線に向かう前記駆動楔の変位がシール力を生じ、
（４）前記コネクタブーツ端部分をパイプに締めつける機構を備えたことを特徴とするパイプをマンホール上昇管に連結する装置。
【発明の詳細な説明】
【０００１】
【産業上の利用分野】
本発明は一般に管継手用のシール構造体に関し、より詳細には、管とマンホールとの間にシールを行うための改良締めつけ装置に関する。
【０００２】
【従来技術および発明が解決しようとする課題】
管を下水系のマンホールに連結するための種々提案がある。例えば、1976年5 月25日に本願と同じ譲受人に発行された改良管ーマンホールシール方法、装置および部材と称する米国特許第3,958,313 号は下水管と強化コンクリートマンホール上昇管との地下継手を開示している。可撓性ブーツが管の自由端に滑り嵌めし、外部クランプがシールを管に圧縮してブーツ／管シールを行う。ブーツの他端部は上昇管壁部の通常心部穿設開口部を通ってマンホールの孔を貫通する。ブーツの端部はこの孔に嵌合する。締めつけバンドおよび一体のトグルエキスパンダを有する締めつけ組立体が上昇管壁部と整合してブーツの内側に嵌合する。トグルエキスパンダを作動すると、このトグルエキスパンダはバンドをブーツの中へ伸張し、ブーツを上昇管に圧縮してブーツ／上昇管シールを行う。
【０００３】
時々、シールの不適切な装着のため、あるいは不正確に寸法決めされた締めつけ組立体のため、コネクタを上昇管から取り外すことが必要である。これらの場合、一体ユニットを構成する締めつけバンドおよびトグルの両方を交換しなければならなかった。シールを行うためのバンドと称する1990年4 月23日付けの本出願人の出願中の米国特許出願第07/513,216号（本願と同じ譲受人に譲渡済み）に開示されているように、一体成形トグルがバンドの端部分に嵌入しており、液圧ジャッキまたは他の手段がトグルのＶ字形中心部分を押すと、一体成形トグルがバンドを伸張する。
【０００４】
コンクリート上昇管壁部を貫通する心部穿孔により、公称直径のマンホールを形成しているが、時々、損傷により心部穿孔の外方の丸みが生じるため、実際の大きさは場所によって変化する。変化の全範囲にわたって最適なシールが行われなければならない。ホールの大きさの変化が狭い範囲を越えれば、上記いずれかの引例のトグルおよびクランプでは最適なシールを達成し難い。
【０００５】
下水管用の締めつけバンドの他の構成は締めつけバンドのフォロアとともに作用する楔状カム部材を利用している。後で開示するように、この解決策はホールの大きさの変化の広い範囲を容易に受け入れる。本質的に２つの楔状部材がボルトおよびナットにより引き寄せられる。カム部材は周方向に離れてバンドに取付けられたフォロア部材を駆動する。この構造体は、多年の間、有利であって、トグル構造体に対する優れたシールを行うが、かかる構造体のコストが小径の管に正当ではないため、特に小径の管用の圧縮バンドでは、広く受入れられなかった。このコストは一部、各管直径ごとの別々の締めつけ構造体の在庫を維持する必要を招く。かくして、２つの基本締めつけバンド構造体が使用され続けており、小径管では、低下コストのために最適なシール力が妥協される。
【０００６】
従って、本発明の目的は広い締めつけ調整範囲の伸張可能な締めつけバンドを提供することである。
本発明の他の目的は製造費がさほど高価ではない伸張可能な締めつけバンドを提供することである。
本発明の更に他の目的は経済的に利用され、広範囲の管の大きさに対処した伸張可能な締めつけバンドを提供することである。
【０００７】
【課題を解決する手段】
本発明によれば、締めつけバンド用の改良作動機構は締めつけバンドの端部に挿入されてこれらの端部により固定される第１および第２フォロア手段を有している。末広縁部を有する第１および第２楔部材がフォロア手段の対応する末広縁部に係合し、締めつけバンドの中心に沿って周方向に延びる中心線に対して横方向の軸線に沿って整合される。圧縮手段が楔手段を中心線に向けて横方向の軸線に沿って押し寄せる。楔手段はフォロア手段と協働して締めつけバンドの端部を分離し、それにより締めつけバンドの第１および第２端部間の離隔を増大し、シール力を生じる。
【０００８】
【実施例】
図１および図２は米国特許第３，９５８，３１３号の図１６および図１８に相当し、同一参照数字を使用している。背景としては、図１は基部２０１に設けられたマンホール上昇管２００を示しており、このマンホール上昇管２００には、管２０３の末端部が挿入されるポート穴が心部穿孔又は他の同様な手順により形成されている。管２０３の外径はポート穴の内径よりも多少小さい。
【０００９】
管２０３および上昇管２００は矢印２０４で示す締めつけ管コネクタブーツ組立体によりシール接合関係で保持されている。コネクタブーツ組立体２０４および従来技術の締めつけバンドが図２に上昇管および管から取り外された状態でより詳細に示されている。
図２にもっと明確に示すように、コネクタブーツ２０４はポート穴内に遊嵌するのに適した円筒形状および大きさの内部締めつけ端部２０６を有する細長い可撓性の管状ボディよりなる。締めつけ端部２０６の外面のまわりには、間隔を隔てたビーズまたはリブ２０９が位置決めされており、これらのビーズまたはリブ２０９は完全締めつけ位置で上昇管ポート穴縁部に不規則に埋まるように圧力下で変形できる。
【００１０】
トグルアーム２１２Ａ、２１２Ｂよりなるトグルエキスパンダ装置を有する内部締めつけバンド２１２により圧力を締めつけ端部２０６に及ぼす。バンド２１２を比較的高い圧力下で伸張させ、それによりコネクタブーツ２０４の端部２０６をポート穴縁部にしっかり押しつけるように、バンドおよびトグルアームを本質的に整合させる位置に押すことができる。外部装置がトグルエキスパンダアーム２１２Ａ、２１２Ｂを整合位置にすると、これらのトグルアームはポート穴の半径方向外方に移動し、締めつけバンド２１２に圧力を絶えず維持するようにアームを自己係止位置に位置決めするオーバセンタ走行を行う。
【００１１】
管状コネクタボディ２０４の反対端部には、外部締めつけ端部２０８が形成されており、この外部締めつけ端部２０８は円筒形状であるが、図１の管２０３の外周に緩く係合するように端部２０６多少小さい。また、この端部２０８には、一連のビーズ２０８Ａが形成されている。チャンネル２０８Ｂに位置決めされた外部締めつけバンド２１１が締めつけねじ２１３により及ぼされるねじ回しの圧力によりしっかり締めつけられる。この圧力によりベーズ２０８Ａを変形させ、端部２０８を管のまわりにシール関係で締めつける。
【００１２】
コネクタブーツの部分２０６、２０８間には、中間の可撓性管状ボディ部分２１０が延びており、このボディ部分２１０は大きさが次第に減少しており、いろいろな応力下で互いに対する相対移動が起こるように部分２０６、２０８を撓み可能に相互に接合するように設計されている。
図３はシールを行うのに使用する従来技術の伸張機構２１０を示している。この伸張機構２１０は締めつけバンド２２０（一部が図３に示されている）と相互に作用し、この締めつけバンド２２０は端部分２２１、２２２と、半径方向の強さのための周方向に延びる内向きリップ２２３、２２４とを有している。端部分２２１、２２２はは、夫々、型打ち成形された金属楔フォロア２２５、２２６が溶接されている。これらの楔フォロア２２５、２２６はバンド２２０を通って概ね周方向中心線２２７に沿って延びている。
【００１３】
楔フォロア２２５について説明すると、リップ２２３、２２４間に軸部２２６が嵌合している。台形のヘッド２３１は周方向中心線２２７上で頂点２３４から分岐した縁構造体２３２、２３３を有している。縁構造体２３２、２３３は軸部２３０に向けて延びるように末広がりになっている。ヘッド２３１の一方の基部がリップ２２３、２２４の縁部に当接しており、バンド２２０の一部がヘッド部分２３１を支持している。縁構造体２３２、２３３はチャンネル状形状を有している。
【００１４】
楔フォロア２２６は軸部２３５、ヘッド２３６と、頂点２３９から後方に延びる末広縁部２３７、２３８とを有する同様な構成を有している。両楔フォロア２２５、２２６はバンド２２０の製造時にバンド２２０に永久的に溶接される。
また、楔伸張装置は駆動楔部すなわちカム２４０を有しており、この駆動楔部すなわちカム２４０はその全体形状が互いに溶接された外板２４１および内板２４２により形成された台形である。内板２４２は外板２４１とともに円筒体２４４を形成するサドル２４３を有している。この円筒体は雌ねじ２４５を構成するようにねじ立てされている。更に、楔部２４０は横方向中心線から外方にテーパになっている末広縁部２４６、２４７を有しており、台形の楔部材２４０の小辺はバンドに面しており、中心線２２７と平行である。
【００１５】
相補駆動楔部２５０は外板２５１、中央サドル２５３を持つ内板２５２とを有している。サドルは端ぐり孔付きの円筒体を構成している。末広縁部２５６、２５７が外方且つ中心線２４８に対して横方向に延びている。ボルト２６０が駆動楔部２５０の隙間穴２５４を通っており、楔部２４０のねじ部２４５に係合している。末広縁部２４６、２４７が夫々楔フォロア２２６、２３５のチャンネル２３３、２３８に係合している。同様に、駆動楔部２５０の末広縁部２５６、２５７は楔フォロア２２６、２３５の末広縁部２３７、２３２に係合している。ボルト２６０が締まると、ボルトヘッド２６１が駆動楔部２５０の上縁部２６２に係合し、駆動楔部２４０、２５０が互いに且つ中心線２２７に向けて引き寄せられる。これにより、フォロア２２５、２２６を中心線２２７と平行な方向に周方向に離れるように移動させる。
【００１６】
締めつけバンド２２０の一端部分に形成された細長いタブ２６３は、半径方向外方に作用するシール力を生じるために連続シールバンドを構成するために、駆動楔部２４０、２５０が生じることがあるいずれの隙間をも覆うのに充分な長さを有している。
先に述べたように、この構成は優れたシールを行うが、製造費が高価である。この費用は小径管のシールに使用するには経済的に正当ではない。かかる用途におけるシールを行うのにそのようなトグル構造体が使用され続けてきた。
【００１７】
図４はトグルエキスパンダを備えた締めつけバンドのコストに匹敵するコストで図３の構造体の利点をもたらす締めつけバンド／伸張機構を示している。図４に示すように、図１および図２のコネクタブーツ２０４と同様な構成を有するコネクタブーツ２０はマンホール上昇管の心部穴あけ開口部に挿入されるようになっている第１端部２１と、管を取り囲み、図２に示す締めつけバンド２１１と同様な締めつけバンド２１１によりこの管にシールされるようになっている第２端部２２とを有している。
【００１８】
図４の環状締めつけバンド２４は強度のためにその周方向に延び、半径方向に延びる内向きリップ２５、２６を有している。端部分２７、２８間には、伸張機構３０が位置決めされている。この伸張機構３０の構造を図５により詳細に示してある。
より詳細には、バンド２４のリップ部分２５、２６はバンドと平行になるように圧延加工され、端部分２７、２８の長さにわたってバンドから間隔を隔てられている。従って、端部分２７、２８は夫々、楔フォロア３１、３２を受け入れるためのガイドとして機能する。図５に示すように、楔フォロア３１は軸部３５および台形のヘッド部分３４を有している。強化リブ３５が線３６に沿って軸部およびヘッドを通って延びている。楔フォロア３２は台形のヘッド３７、軸部３８および強化リブ３９を備えた同様な構造を有している。これらの楔フォロア３１、３２は平らなステンレス鋼または同様な金属から容易に型打ち成形されるので、低コストで量産される。
【００１９】
更に、伸張機構３０は駆動楔部４０、４１を備えている。この特定な実施例では、駆動楔部４０は外板４２および内板４３を有している。内板には、ボルト４６用の隙間を構成する一対の間隔を隔てたサドル４４、４５が形成されている。更に、駆動楔部４０は先縁部４７と、後基部分５２まで延びている末広縁部分５０、５１とを備えた概ね台形の形状を有している。縁部分５０、５１は台形のヘッド部分３４、３７により形成された末広縁部５４、５５に係合するようにＵ字形チャンネルとして形成されている。サドル４４、４５と内板４３との中間で孔が板４２、４３を通って延びており、ボルト４６が回る軸線６０と平行な縁部に沿ってタブ５６、５７が形成されている。
【００２０】
駆動楔部４１は同じ構造を有しており、末広縁部を構成するＵ字形チャンネル６３、６４が形成された外板６１および内板６２を有している。チャンネル６３、６４は楔フォロア３１、３２の台形ヘッド部分３４、３７に形成された末広縁部６５、６６に係合する。駆動楔部４１は間隔を隔てたサドル７１、７２間に位置決めされた標準の六角形ナット７０を有している。駆動楔部４０と同一の駆動楔部４１のタブ（後で詳細に述べる）がナット７０の縁部に係合し、それによりナット７０の回転を防ぐ。
【００２１】
両駆動楔部４０、４１は金属型打ち成形体である。この特定な実施例では、板６１、６２と同様に、板４２、４３が互いに溶接されている。しかしながら、この伸張機構３０の構成要素はすべて製造費が安価である。そのうえ、所定組の機構構成要素が直径の異なるバンド２３用の伸張機構を構成する。型打ち成形楔フォロア３１、３２および駆動楔部４０、４１を型打ちダイに設置して、機構がバンドの輪郭に一致し、この輪郭から突出しないようにバンドの曲率半径に相当するこれらの部片各々の曲率半径を生じることが必要なだけである。図３に示す構造では、異なる輪郭の駆動楔部２４０、２５０に適合するこのような型打ち操作の使用によれば、隙間穴２５４を閉じるか、あるいは円筒体２４１を変形し、それによりねじ連結の保全性を失う。本発明によるねじ係合は、図４ないし図６に示すように、構造体を曲げた後に挿入される標準ナットの保全性にのみ制限される。
【００２２】
図６は締めつけバンド２３の端部分２７、２８の中間に位置する組付け機構３０示している。図示のように、端部分２８は楔フォロア３１を固定している。リップ２５、２６がバンド２３と平行に圧延加工され、それにより軸部分３３に係合するチャンネル部分８０、８１を形成している。ヘッド部分３４の基部はチャンネル部分８０、８１の端部に当接している。同様なチャンネル部分８２、８３は、ヘッド部分３７がこれらのチャンネル８２、８３の端部に当接するように、楔フォロア３２の軸部分３６を固定している。
【００２３】
組立て形態では、末広縁部５０、５１のＵ字形チャンネルは楔フォロア３２、３１の末広縁部５５、５４の上に位置している。同様に、縁部６３、６４の末広Ｕ字形チャンネルは縁部フォロア３１、３２の夫々の末広縁部分６５、６６に係合してこれらを固定している。ボルト４６はサドル４３、４４を通って延び、駆動楔部４０、４１間の空間を横切り、次いでサドル７１、７２を通っている。ボルト４６を締めつけ方向に回わすと、このボルトは駆動楔部４１の孔にあるナット９０に作用する。孔の縁部にあるタブ９１、９２がナット９０を回転しないようにしている。駆動楔部４０、４１は互いおよび中心線３６に向かって移動する。これにより力を楔フォロア３１、３２に加えて端部分２７、２８を軸線３６に沿って分離する。力がヘッド部分３４、３７の基部からチャンネル部分８０、８１、８２、８３の端部に加えられてかかる変位を行う。
【００２４】
図４および図７は作動機構３０に対して改良作動をもたらすように端部分２１、２２を変更したコネクタブーツ２０を示している。より詳細には、ブーツ２０はこれに第１および第２ポケットを形成することにより変更されている。図７に示すように、第１ポケットは端部分２１の内壁部のまわりに延びる周チャンネル９４と同一広がりである。このチャンネル９４はバンド２４を軸線９５に沿って位置決めする。ポケット９３は機構と同一広がりであって、端面９６から延びている。第２ポケット９７はボルトの寸法に相当する周領域にわたって端部２２に向かって延びている。ポケット９３、９７により、この機構は小径管にでも、また大きいテーパを有するコネクタブーツにでも使用することができる。機構３０が延びて締まると、ボルト４６ハコネクタブーツ２０の材料を貫通したり、これに係合したりせず、それによりその保全性を保持する。
【００２５】
図５に仮想で示すように、タブ１００が端部分２７、２８間の隙間のところでバンド２３の外面の上に位置する。このタブ１００により、コネクタブーツの周囲全体にわたって圧力を均等に加えることができる。
従って、本発明によれば、簡単で製造費が安価な下水管コネクタの場合にシールを行うためのバンド用伸張機構が開示される。この伸張機構はさほど効果的でないトグルエキスパンダの製造コストでより高価な従来技術の装置の優れたシールを行う。多くの変形例が可能であり、特許請求の範囲の目的は本発明の精神および範囲内に入るような変形例および変更例すべてを含むものである。
【図面の簡単な説明】
【図１】図４ないし図７に示すようにコネクタバンドおよび伸張機構を利用するようになっている図２に示す種類のコネクタブーツによって互いにシール可能に接合される下水管およびマンホール上昇管の斜視図である。
【図２】従来技術の一実施例のシール用継手構成要素を示す分解斜視図である。
【図３】従来技術の伸張機構の他の実施例を示す分解図である。
【図４】本発明により構成された伸張機構の分解図である。
【図５】本発明で使用するようになっている伸張機構を有する圧縮バンドの分解図である。
【図６】図５に示す伸張機構の拡大組み立て平面図である。
【図７】図４ないし図６の伸張機構とともに使用するようになっているコネクタブーツの横断面図である。
【符号の説明】
２０  コネクタブーツ
２１  第１端部
２２  第２端部
２３  締めつけバンド
２４  環状締めつけバンド
２５、２６  リップ
２７、２８  端部分
３０  伸張機構
３１、３２  楔フォロア
３３、３８  軸部分
３４、３７  ヘッド部分
３５、３９  強化用リブ
３６  中心線
４０、４１  駆動楔部
４２  内板
４３  外板
４４、４５  サドル
４６  ボルト
５０、５１  末広縁部分
５６、５７  タブ
６３、６４  Ｕ字形チャンネル
７０  サドル
７１、７２  サドル
【図１】
0003638617.tif 000002
【図２】
0003638617.tif 000003
【図３】
0003638617.tif 000004
【図４】
0003638617.tif 000005
【図５】
0003638617.tif 000006
【図６】
0003638617.tif 000007
【図７】
0003638617.tif 000008